(57)【要約】【課題】作動回数を重ねてもシャッタ羽根の表面が傷つかず作動速度に影響を与えないカメラ用フォーカルプレンシャッタを提供すること。【解決手段】シャッタ地板１とカバー板２と中間板３とで二つの羽根室を構成し先羽根及び後羽根を備えているフォーカルプレンシャッタにおいて、シャッタ地板１とカバー板２の羽根室側の面には、コロ１９，２０が取り付けられている。先羽根及び後羽根の羽根部材の先端部と接触しているコロ１９，２０が、シャッタ羽根が作動するときに回転させられることにより、先羽根及び後羽根の羽根部材がシャッタ地板１やカバー板２から摩擦を受けることなく作動し、シャッタ羽根の高速化が可能となる。【選択図】図２
2014048660.tif 000002
【特許請求の範囲】
【請求項１】
被写体光路用の開口部を有する合成樹脂製のシャッタ地板と、被写体光路用の開口部を有していて前記シャッタ地板に取り付けられており該シャッタ地板との間に羽根室を構成しているカバー板と、複数のアームとそれらのアームに枢支された羽根部材とで構成されていて前記羽根室内において前記シャッタ地板に立設されている複数の羽根取付軸に対してそれらのアームの一端を個別に回転可能に取り付けられている少なくとも一つのシャッタ羽根と、を備えていて、前記シャッタ地板又は前記カバー板の前記羽根室側の面には、前記シャッタ羽根が作動するときに前記シャッタ羽根の羽根部材と接触して回転する回転部材が取り付けられていることを特徴とするカメラ用フォーカルプレンシャッタ。
【請求項２】
前記回転部材は、前記シャッタ羽根の羽根部材の走行方向に沿って回転するように取り付けられているコロであることを特徴とする請求項１に記載のカメラ用フォーカルプレンシャッタ。
【請求項３】
前記回転部材は、回転可能に取り付けられている球体であることを特徴とする請求項１に記載のカメラ用フォーカルプレンシャッタ。
【発明の詳細な説明】
【技術分野】
【０００１】  本発明は、一つ又は二つのシャッタ羽根を備えているカメラ用フォーカルプレンシャッタに関する。
【背景技術】
【０００２】  カメラ用フォーカルプレンシャッタの中には、シャッタ地板，中間板，カバー板と称されている３枚の板部材の間に二つの羽根室を構成し、それらの羽根室に、先羽根，後羽根と称されている二つのシャッタ羽根を個別に配置するようにしたものと、シャッタ地板とカバー板との間に構成された羽根室に、一つのシャッタ羽根を配置するようにしたものとが知られている。【０００３】  いずれのフォーカルプレンシャッタの場合でも、シャッタ羽根の構成は略同じであり、長さ方向の一端をシャッタ地板に回転可能に取り付けている複数のアームと、それらのアームに枢支された羽根部材とで構成されている。【０００４】  羽根部材は、一般的に薄い材料から成るため、光軸方向へ変位・変形してしまうことがある。しかし、そのように変位・変形してしまうと、羽根部材が他の板部材に接触してしまう。そして、シャッタ羽根の羽根部材が板部材に接触した状態でシャッタ羽根が作動させられると、シャッタ羽根の作動速度が変化してしまうという問題があった。【０００５】  このような問題に対して、従来は、板部材に対してレール状の肉厚部をシャッタ羽根の作動軌跡に沿って形成し、羽根部材を支えるようにすることで、羽根部材が板部材に接触しないようにしてきた。しかしながら、このようにレール状の肉厚部を設けて羽根部材の特定の箇所のみを支えるようにすると、レール上の肉厚部に接触する箇所が集中してしまい磨耗してしまうおそれが生じる。【０００６】  このような問題を解決するために、特許文献１には、シャッタ地板に設けたレール状の肉厚部（特許文献１中では「抑制条」）を、シャッタ羽根（特許文献１中では「羽根群」）の作動軌跡に沿わない形状に形成している。これにより、シャッタ羽根の羽根部材におけるレール状の肉厚部と摺接する場所を分散させることができるため、羽根部材に傷が付きにくくなるという効果を奏する。
【先行技術文献】
【０００７】
【特許文献１】特開２００１−８３５７１号公報
【発明の概要】
【発明が解決しようとする課題】
【０００８】  特許文献１に記載のように、シャッタ羽根の作動軌跡に沿わない形状にレール状の肉厚部を形成した場合には、シャッタ羽根の作動が安定し、且つ羽根部材が傷つきにくくなる。しかしながら、羽根部材は、レール状の肉厚部との摺接により摩擦を受けることになる。【０００９】  本発明は、このような問題を解決するためになされたものであり、その目的とするところは、シャッタ羽根の羽根部材が板部材と摺接して傷つくことがなく、シャッタ羽根の作動速度をより一層高速化することが可能なカメラ用フォーカルプレンシャッタを提供することである。
【課題を解決するための手段】
【００１０】  上記の目的を達成するために、本発明のカメラ用フォーカルプレンシャッタは、被写体光路用の開口部を有する合成樹脂製のシャッタ地板と、被写体光路用の開口部を有していて前記シャッタ地板に取り付けられており該シャッタ地板との間に羽根室を構成しているカバー板と、複数のアームとそれらのアームに枢支された羽根部材とで構成されていて前記羽根室内において前記シャッタ地板に立設されている複数の羽根取付軸に対してそれらのアームの一端を個別に回転可能に取り付けられている少なくとも一つのシャッタ羽根と、を備えていて、前記シャッタ地板又は前記カバー板の前記羽根室側の面には、前記シャッタ羽根が作動するときに前記シャッタ羽根の羽根部材と接触して回転する回転部材が取り付けられている。【００１１】  また、前記回転部材は、前記シャッタ羽根の羽根部材の走行方向に沿って回転するように取り付けられているコロであるようにすると、シャッタ地板に対する回転部材の取り付けが容易になると共に、シャッタ羽根の作動が円滑になる。【００１２】  また、前記回転部材は、回転可能に取り付けられている球体であるようにすると、シャッタ羽根の作動が円滑になる。
【発明の効果】
【００１３】  本発明は、カメラ用フォーカルプレンシャッタにおいて、シャッタ地板の羽根室側の面に、シャッタ羽根の羽根部材と接触するようにして回転部材が取り付けられているので、シャッタ羽根が作動する際に、回転部材が回転することでシャッタ羽根の羽根部材がシャッタ地板から摩擦を受けることなく作動でき、シャッタ羽根の表面がシャッタ地板と摺接することにより傷つくことがなくなり、シャッタ羽根の作動速度の高速化が可能となる効果を奏する。
【図面の簡単な説明】
【００１４】
【図１】実施例１のカメラ用フォーカルプレンシャッタを、被写体側、即ち撮影レンズ側から視た平面図であって、後羽根群の露光作動終了直後の状態を示したものである。
【図２】実施例１のカメラ用フォーカルプレンシャッタを、中間板及びカバー板を取り去って撮像素子側から視た平面図であって、後羽根群の露光作動終了直後の状態を示したものである。
【図３】実施例１のカメラ用フォーカルプレンシャッタにおいて、シャッタ地板に取り付けられたコロを示す斜視図及び断面図である。
【図４】図２の状態からシャッタ羽根をセット状態にした平面図である。
【図５】図４の状態から先羽根群及び後羽根群を作動させている状態を示す平面図である。
【図６】図２の状態において、シャッタ羽根とコロとの接触を示すＡ−Ａ’線での断面図である。
【図７】図４の状態において、シャッタ羽根とコロとの接触を示すＡ−Ａ’線での断面図である。
【図８】図５の状態において、シャッタ羽根とコロとの接触を示すＡ−Ａ’線での断面図である。
【図９】実施例１のカメラ用フォーカルプレンシャッタにおいて、シャッタ地板に取り付けられた球体を示す斜視図及び断面図である。
【発明を実施するための形態】
【００１５】  本発明の実施の形態を、図示した二つの実施例によって説明する。なお、図１〜図８は、実施例１を説明するためのものであり、図９は、実施例２を説明するためのものである。
【実施例１】
【００１６】  最初に、図１〜図８を用いて、実施例１の説明をする。図１は、シャッタ羽根の露光作動終了状態を、被写体側、すなわち撮影レンズ側から視た平面図である。図２は、シャッタ羽根の露光作動終了状態を、中間板及びカバー板を取り去って撮像素子側から視た平面図である。図３は、実施例１における回転部材であるコロの取り付け方を示した図であって、（ａ）は斜視図であり、（ｂ）は断面図である。図４は、シャッタ羽根のセット状態を、図２と同様にして視た平面図である。図５は、シャッタ羽根の露光作動中の状態を、図２と同様にして視た平面図である。図６〜８は、それぞれ図２，４，５の状態において、シャッタ羽根とコロとの接触状態を示すＡ−Ａ’線での断面図である。【００１７】  まず、実施例１の構成を説明する。本実施例のカメラ用フォーカルプレンシャッタは、シャッタ地板１とカバー板２との間に中間板３を配置していて、シャッタ地板１と中間板３との間に先羽根を配置する羽根室を、カバー板２と中間板３との間に後羽根を配置する羽根室を、それぞれ構成している。カバー板２及び中間板３は、適宜な手段によってシャッタ地板１に取り付けられていて、シャッタ地板１とほぼ同じ形状をしている。図１は、シャッタ地板１の羽根室とは反対側の面を示す図であり、図２，４，５は、シャッタ地板１の羽根室側の面を示す図である。なお、図２，４，５においては、シャッタ地板１のみを図示して、カバー板２及び中間板３の図示を省略している。本実施例のシャッタ地板１は、合成樹脂製であって、その中央部に光軸を中心にした長方形の開口部１ａを形成している。また、カバー板２及び中間板３も、合成樹脂製であって、その中央部にシャッタ地板１と略同じ形状の開口部を形成している。そして、シャッタ地板１，カバー板２，中間板３のそれぞれの開口部を重ね合わせることによって、長方形の露光開口が形成されている。また、本実施例のシャッタ地板１及びカバー板２は、後述のコロ１９，２０を取り忖ける必要があるため、中間板３よりも厚く形成されている。【００１８】  図１に示すように、シャッタ地板１には、円弧状の二つの長孔１ｂ，１ｃが形成されており、それらの下方端部には、平面形状がＣ字状をしている周知の緩衝部材４，５が取り付けられている。更に、シャッタ地板１の羽根室側とは反対側の面には、軸１ｄ，１ｅ，１ｆが立設されていて、羽根室側の面には、軸１ｇ，１ｈ，１ｉ，１ｊが立設されている。これらの軸のうち、軸１ｄと軸１ｇ、及び軸１ｅと軸１ｊは、シャッタ地板１の羽根室側とその反対側に同心に形成されている。また、シャッタ地板１の羽根室側の面には、後述するようにコロ１９を取り付けるための取付部１ｋが形成されている。また、カバー板２及び中間板３にも、シャッタ地板１の二つの長孔１ｂ，１ｃに対応した位置に、それぞれ同形状の長孔が設けられている。また、カバー板２の羽根室側の面には、後述するようにコロ２０を取り付けるための取付部２ａが形成されている。【００１９】  次に、シャッタ地板１の羽根室側とは反対側の面に取り付けられている部材の説明をする。シャッタ地板１の羽根室側とは反対側の面に立設されている軸１ｄには、後羽根用駆動部材６が回転可能に取り付け���れている。また、シャッタ地板１の羽根室側とは反対側の面に立設されている軸１ｅには、先羽根用駆動部材７が回転可能に取り付けられている。更に、シャッタ地板１の羽根室側とは反対側の面に立設されている軸１ｆには、セット部材８が回転可能に取り付けられている。そして、後羽根用駆動部材６，先羽根用駆動部材７は、それぞれ駆動ピン６ａ，７ａを有していて、該駆動ピン６ａ，７ａは長孔１ｂ，１ｃを貫通してカバー板２の図示していない長孔に挿入されている。しかしながら、これらの構成は公知であるため、図２，４，５においては後羽根用駆動部材６，先羽根用駆動部材７，セット部材８の図示を省略し、駆動ピン６ａ，７ａのみを図示している。【００２０】  次に、図２を用いて、シャッタ地板１の羽根室側の面に取り付けられている部材の説明をする。シャッタ地板１の羽根室側の面には、シャッタ羽根としての先羽根及び後羽根が取り付けられている。そして、先羽根は、二つのアーム１４，１５と、それらの長さ方向に順に枢支された三枚の羽根部材１６，１７，１８とで構成されていて、最先端に枢支された羽根１８がスリット形成羽根になっている。そして、二つのアーム１４，１５は、それぞれシャッタ地板１の羽根室側の面に立設されている軸１ｉ，１ｊに回転可能に取り付けられている。また、アーム１５には、孔１５ａが形成されていて、先羽根用駆動部材７の駆動ピン７ａが嵌合されている。なお、このような二つのアーム１４，１５と三枚の羽根部材１６，１７，１８との各枢支構成にはリベット部品である連結軸を用いているが、その構成は公知であるため、説明は省略する。【００２１】  そして、後羽根は、二つのアーム９，１０と、それらの長さ方向に順に枢支された三枚の羽根部材１１，１２，１３とで構成されていて、最先端に枢支された羽根１３がスリット形成羽根になっている。そして、二つのアーム９，１０は、それぞれシャッタ地板１の羽根室側の面に立設されている軸１ｇ，１ｈに回転可能に取り付けられている。また、アーム９には、孔９ａが形成されていて、後羽根用駆動部材６の駆動ピン６ａが嵌合されている。なお、先羽根と同じく、後羽根の二つのアーム９，１０と三枚の羽根部材１１，１２，１３との各枢支構成にもリベット部品である連結軸を用いているが、その構成は公知であるため、説明は省略する。【００２２】  次に、図３を用いて、シャッタ地板１及びカバー板２に取り付けられているコロ１９，２０の説明をする。図３（ａ）は、コロ１９をシャッタ地板１の取付部１ｋに取り付けている様子を示した斜視図であり、図３（ｂ）は、コロ１９をシャッタ地板１の取付部１ｋに取り付けている様子を示した断面図である。シャッタ地板１の羽根室側の面に形成されている取付部１ｋには、先羽根の羽根部材の先端部と接触するようにして、コロ１９が回転可能に取り付けられている。このコロ１９は、円柱状の胴部１９ａと軸部１９ｂから構成されていて、その胴部１９ａをシャッタ地板１の表面から突き出すようにして、その軸部１９ｂをシャッタ地板１の取付部１ｋに取り付けている。そして、コロ１９は、後述するように、先羽根が作動するとき、三枚の羽根部材１６，１７，１８と接触して回転させられる。また、コロ１���を取り付ける取付部１ｋは、先羽根が重畳して露光開口の下側に退いているときに、コロ１９の胴部１９ａが羽根部材１８の先端部と接触する位置に形成されている。この取付部１ｋは、コロ１９の回転方向が先羽根の羽根部材１６，１７，１８の作動方向と略一致するように形成されている。そのため、コロ１９は、先羽根が作動するとき、先羽根の羽根部材１６，１７，１８の走行方向に沿って回転する。【００２３】  カバー板２の羽根室側の面に形成されている取付部２ａには、後羽根の羽根部材の先端部と接触するようにして、コロ２０が取り付けられているが、その取り付け方はコロ１９の場合と同じであるため、説明を省略する。このコロ２０の軸部２０ｂを取り付ける取付部２ａは、後羽根が重畳して露光開口の上側に退いているときに、コロ２０の胴部２０ａが羽根部材１３の先端部と接触する位置に形成されている。また、この取付部２ａは、取付部１ｋと同様に、コロ２０の回転方向が後羽根の羽根部材１１，１２，１３の作動方向と略一致するように形成されている。そのため、コロ２０は、後羽根が作動するとき、後羽根の羽根部材１１，１２，１３の走行方向に沿って回転する。なお、本実施例のコロは、合成樹脂製であって、胴部と軸部を一体成形により形成しているが、軸部と胴部を別々に製作し、胴部に対して軸部を取り付けるようにしても構わない。また、羽根部材と接触する胴部を金属製にした場合には、帯電防止効果が得られて一層好適になる。なお、軸部を金属製とし、合成樹脂の胴部と一体になるように成形してもよい。【００２４】  次に、図２，４，５を用いて、シャッタ羽根の露光作動の説明をする。図２は、露光作動終了直後の状態を示している。このとき、先羽根の三枚の羽根部材１６，１７，１８は、重畳されて露光開口の下側に格納されていて、後羽根の三枚の羽根部材１１，１２，１３は、展開されて露光開口を覆っている。そして、先羽根の羽根部材１８は、コロ１９の胴部１９ａと接触していて、後羽根の羽根部材１１は、コロ２０の胴部２０ａと接触している。この状態から、図１に示されているセット部材８がセット作動のために回転させられると、それにより図１に示されている先羽根用駆動部材７が図示していない先羽根用駆動ばねの付勢力に抗して回転させられる。そのため、先羽根のアーム１４は、その孔１４ａに嵌合されている駆動ピン７ａにより回転させられる。それに伴い、先羽根の三枚の羽根部材１６，１７，１８は、相互の重なり量を小さくしながら上方へ作動されていく。【００２５】  その後、先羽根の羽根部材１８と後羽根の羽根部材１３との重なり量が所定量に達すると、セット部材８により図１に示されている後羽根用駆動部材６が図示していない後羽根用駆動ばねの付勢力に抗して回転させられる。そのため、後羽根のアーム９は、その孔９ａに嵌合されている駆動ピン６ａにより回転させられる。それに伴い、後羽根の三枚の羽根部材１１，１２，１３は、相互の重なり量を大きくしながら上方へ作動されていく。【００２６】  このようにして、セット作動が行われていき、先羽根の三枚の羽根部材１６，１７，１８が展開状態となって露光開口を完全に覆い、後羽根の三枚の羽根部材１１，１２，１３が重畳状態となっ��露光開口の上方に格納された段階で、セット部材８の回転が止まり、上記の各駆動部材の回転も止まり、セット作動が終了する。このようにして、先羽根及び後羽根がセット状態になる。この状態が図４に示されている。【００２７】  このようなセット状態において、カメラのレリーズボタンが押されると、セット部材８が初期位置に復帰した後に、まず先羽根用駆動部材７が図示していない先羽根用駆動ばねの付勢力により回転され、その駆動ピン７ａが先羽根のアーム１５を回転させて、先羽根に露光作動を行わせる。そのため、先羽根の三枚の羽根部材１６，１７，１８は、相互の重なり量を大きくしながら、羽根部材１８のスリット形成縁によって露光開口を開いていく。そして、所定の時間が経過した後に、後羽根用駆動部材６が図示していない後羽根用駆動ばねの付勢力により回転され、その駆動ピン６ａが後羽根のアーム９を回転させて、後羽根に露光作動を行わせる。そのため、後羽根の三枚の羽根部材１１，１２，１３は、相互の重なり量を小さくしながら、羽根部材１３のスリット形成縁によって露光開口を覆っていく。このようにして、先羽根の羽根部材１８のスリット形成縁と後羽根の羽根部材１３のスリット形成縁とで形成されたスリットにより、露光作動が行われている状態を図５に示す。【００２８】  その後、先羽根は、先羽根用駆動部材７の駆動ピン７ａが緩衝部材５に当接することで停止し、後羽根は、後羽根用駆動部材６の駆動ピン６ａが緩衝部材４に当接することで停止する。このようにして、露光作動の終了した状態が、図２に示された状態である。なお、上記の露光作動の説明では、先羽根と後羽根とでスリットを形成して露光作動をする場合で説明したが、先羽根の作動が終了してから後羽根の作動が開始されるようにして露光作動をしてもよい。【００２９】  このような露光作動は、図示していない先羽根用駆動ばね及び後羽根用駆動ばねの強力な付勢力によって先羽根用駆動部材７，後羽根用駆動部材６が回転させられることにより行われる。そのため、先羽根の羽根部材１６，１７，１８や後羽根の羽根部材１１，１２，１３は、その作動中に撓んでしまい、光軸方向に変形することになる。そして、そのように変形してしまった場合には、従来は、上記のように、シャッタ地板１やカバー板２と摺接して、シャッタ羽根の作動速度が変化してしまっていた。しかしながら、本実施例においては、そのように光軸方向に変形しても、羽根部材の先端部と接触しているコロ１９，２０が回転することで各羽根部材がシャッタ地板１やカバー板２から摩擦を受けることなく作動できるため、シャッタ羽根の作動速度の向上が可能となっている。その様子を、図６〜図８を用いて説明する。【００３０】  図６は、露光作動終了状態を示していて、図４におけるＡ−Ａ’線での断面図である。この状態においては、先羽根は重畳されて露光開口の下側に格納されていて、後羽根は展開されて露光開口を覆っている。そして、先羽根の羽根部材１８の先端部が、コロ１９の胴部１９ａに接触していて、後羽根の羽根部材１１の先端部が、コロ２０の胴部２０ａに接触している。【００３１】  そして、上記のようにセット作動のためにセット部材が回転すると、それに伴い先羽根及び���羽根は上方へ作動されていく。このとき、先羽根が上方へ作動されていくに従って、先羽根の羽根部材１６，１７，１８は、まず羽根部材１８がコロ１９の胴部１９ａと接触した状態で、コロ１９を回転させながら上方へ作動されていく。そして、羽根部材１８がコロ１９の胴部１９ａから離れると、羽根部材１７がコロ１９の胴部１９ａと接触し、コロ１９を回転させながら上方へ作動されていく。そして、羽根部材１７がコロ１９の胴部１９ａから離れると、羽根部材１６がコロ１９の胴部１９ａと接触し、コロ１９を回転させながら上方へ作動されていく。【００３２】  また、同様にして、後羽根が上方へ作動されていくに従って、後羽根の羽根部材１１，１２，１３は、まず羽根部材１１がコロ２０の胴部２０ａと接触した状態で、コロ２０を回転させながら上方へ作動されていく。そして、羽根部材１２がコロ２０の胴部２０ａと接触すると、コロ２０を回転させながら上方へ作動されていく。そして、羽根部材１３がコロ２０の胴部２０ａと接触すると、コロ２０を回転させながら上方へ作動されていく。【００３３】  このようにして、セット作動が完了した状態の断面図が、図７に示されている。この状態から、上記のように先羽根用駆動部材７が図示していない先羽根用駆動ばねの付勢力により回転すると、それに伴い先羽根は下方へ作動されていく。このとき、先羽根の羽根部材１６，１７，１８は、まず羽根部材１６がコロ１９の胴部１９ａと接触した状態で、コロ１９を回転させながら下方へ作動されていく。そして、羽根部材１７がコロ１９の胴部１９ａと接触すると、コロ１９を回転させながら下方へ作動されていく。そして、羽根部材１８がコロ１９の胴部１９ａと接触すると、コロ１９を回転させながら下方へ作動されていく。【００３４】  そして、所定の時間が経過した後に、後羽根用駆動部材６が図示していない後羽根用駆動ばねの付勢力により回転すると、それに伴い後羽根は下方へ作動されていく。このとき、後羽根の羽根部材１１，１２，１３は、まず羽根部材１３がコロ２０の胴部２０ａと接触した状態で、コロ２０を回転させながら下方へ作動されていく。そして、羽根部材１３がコロ２０の胴部２０ａから離れると、羽根部材１２がコロ２０の胴部２０ａと接触し、コロ２０を回転させながら下方へ作動されていく。そして、羽根部材１２がコロ２０の胴部２０ａから離れると、羽根部材１１がコロ２０の胴部２０ａと接触し、コロ２０を回転させながら下方へ作動されていく。このようにして、露光作動が行われている途中の状態の断面図を図８に示す。【００３５】  このように、先羽根及び後羽根が作動するときには、それぞれの羽根部材の先端部と接触しているコロ１９，２０が回転するため、シャッタ地板１やカバー板２と摺接することでシャッタ羽根の作動速度が変化してしまうようなことがない。そのため、作動回数を重ねてもシャッタ羽根の羽根部材が傷つかないし、更に、シャッタ羽根の作動速度の向上が図れる。また、コロ１９，２０は、その胴部１９ａ，２０ａがシャッタ地板１及びカバー板２の表面から突き出すように取り付けられているため、各羽根部材の先端部が胴部１９ａ，２０ａと接触しているときは、羽根部材の先端部以外の部分がシャッ��地板１及びカバー板２と接触することはない。【００３６】  なお、本実施例においては、コロ１９は、先羽根が重畳して露光開口の下側に格納されているときに羽根部材１８と接触する位置に取り付けられていて、コロ２０は、後羽根が重畳して露光開口の上側に格納されているときに羽根部材１３と接触する位置に取り付けられている。このような位置にコロを取り付けている理由は、羽根部材が重畳する位置にコロを取り付けると、シャッタ羽根が作動する際に全ての羽根部材に対して順次コロを接触させることができるため、効率よく羽根部材の表面を保護することができるためである。しかし、本実施例のコロは、上記の場所に取り付け位置を制限されるものではなく、羽根部材と接触する箇所であれば、どこに取り付けてもよい。また、本実施例においては、先羽根及び後羽根の羽根部材が、露光開口から退避している位置で接触するようにコロをそれぞれ一つずつ取り付けているが、それぞれ複数個のコロと接触するようにしてもよい。例えば、露光開口から退避している位置と露光開口を覆う途中の位置と露光開口を覆っている位置で羽根部材の先端部がコロに接触するようにコロを取り付けて、シャッタ羽根の作動中に羽根部材が一つのコロから離れる前に別のコロと接触するようにしてもよい。このようにコロを取り付けると、より一層羽根部材の表面を保護する効果が高くなる。
【実施例２】
【００３７】  次に、図９を用いて、実施例２の説明をする。本実施例は、実施例１におけるコロの代わりに球体を取り付けたものであり、それ以外の構成は実施例１と同じであるため、説明を省略する。【００３８】  図９を用いて、シャッタ地板１及びカバー板２に取り付けられている回転する球体２１，２３の説明をする。図９（ａ）は、球体２１をシャッタ地板１の取付部１ｍに取り付けている様子を示した斜視図であり、図９（ｂ）は、球体２１をシャッタ地板１の取付部１ｍに取り付けている様子を示した断面図である。シャッタ地板１の羽根室側の面に形成されている取付部１ｍには、先羽根の羽根部材の先端部と接触するようにして、球体２１が回転可能に取り付けられている。この球体２１を取り付ける取付部１ｍは、シャッタ地板１に凹部として形成されている。そして、取付部１ｍは、押さえ部材２２を取り付けるための円盤状の凹部１ｍ−１と、球体２１を取り付けるために該凹部１ｍ−１の中央に形成されている半球状の凹部１ｍ−２とからなっている。球体２１を取付部１ｍに取り付ける際には、まず球体２１を凹部１ｍ−２に嵌めた後に、凹部１ｍ−１に押さえ部材２２を取り付けるようにする。この取付部１ｍは、実施例１における取付部１ｋと同様に、先羽根が重畳して露光開口の下側に退いているときに、球体２１が羽根部材１８の先端部と接触する位置に形成されている。【００３９】  同様にして、カバー板２にも、後羽根が重畳して露光開口の上側に退いているときに、後羽根の羽根部材の先端部と接触するようにして、球体２３が取付部材２４を用いて取付部２ｂに取り付けられているが、その取り付け方は球体２１と同じであるため、説明を省略する。【００４０】  このように取り付けられた球体２１，２３は、実施例１におけるコロ１９，２０と同様に、シャッタ羽根が作動するときに各羽根部材と接触して回転させられるが、コロ１９，２０は固定の回転軸に沿った方向に回転するだけであったのに対して、球体２１，２３はその回転軸が固定されていないため回転方向が特定されず羽根部材の作動方向に応じて自由に回転することができる。そのため、シャッタ羽根の羽根部材の移動する方向と球体２１，２３の回転方向を完全に一致させることができ、シャッタ羽根の作動速度を更に向上させることができるという効果が得られる。【００４１】  なお、実施例１における回転するコロと同様に、本実施例の回転する球体も、各羽根部材が重畳して露光開口から退避しているときにその先端部に接触する位置に取り付けられているが、その取り付け位置は、羽根部材の先端部と接触する箇所であれば、どこに取り付けてもよいし、複数個取り付けてもよい。【００４２】  また、上記の各実施例は、本発明をシャッタ地板、カバー板及び中間板を用いて二つの羽根室を構成し先羽根及び後羽根を備えるタイプのフォーカルプレンシャッタに適用したものである。しかし、本発明の実施態様はこのようなタイプのフォーカルプレンシャッタに制限されず、シャッタ地板及びカバー板を用いて一つの羽根室を構成し一つのシャッタ羽根を備えるタイプのフォーカルプレンシャッタにも適用することができる。
【符号の説明】
【００４３】シャッタ地板      １
開口部            １ａ
長孔              １ｂ，１ｃ
軸                １ｄ，１ｅ，１ｆ，１ｇ，１ｈ，１ｉ，１ｊ
取付部            １ｋ，１ｍ，２ａ，２ｂ
カバー板          ２
中間板            ３
緩衝部材          ４，５
後羽根用駆動部材  ６
駆動ピン          ６ａ，７ａ
先羽根用駆動部材  ７
セット部材        ８
アーム            ９，１０，１４，１５
孔                ９ａ，１５ａ
羽根部材          １１，１２，１３，１６，１７，１８
コロ              １９，２０
胴部              １９ａ，２０ａ
軸部              １９ｂ，２０ｂ
球体              ２１，２３
押さえ部材        ２２，２４
【図１】
2014048660.tif 000003
【図２】
2014048660.tif 000004
【図３】
2014048660.tif 000005
【図４】
2014048660.tif 000006
【図５】
2014048660.tif 000007
【図６】
2014048660.tif 000008
【図７】
2014048660.tif 000009
【図８】
2014048660.tif 000010
【図９】
2014048660.tif 000011